(57)【特許請求の範囲】
【請求項１】
袋上部に紙ヘッダーを有するプラスチックフイルム製の吊り下げ袋であって、袋のヘッダー部と袋の商品収納部とが、袋の表裏２枚のフイルムを溶着する仕切り溶着線によって仕切られ、ヘッダー部の上方に開口部があり、該開口部から紙ヘッダーが挿入されてなる袋において、紙ヘッダーが二つ折りされた紙よりなり、袋のヘッダー部を形成する２枚のフイルムのうちの１枚のフイルムの外側表面の仕切り溶着線の近傍に袋の巾方向に接着剤層が設けられ、二つ折りされた紙ヘッダーの一方の部分がヘッダー部の２枚のフイルムの間隙に挿入され、他方の部分がフイルムに設けられた接着剤層に接合されることにより、ヘッダー部に紙ヘッダーが装着されてなることを特徴とする紙ヘッダー式吊り下げ袋。
【発明の詳細な説明】
【０００１】
【発明の属する技術分野】
本発明は、紙ヘッダー式吊り下げ袋に関する。さらに詳しくは、本発明は、小ロット生産にもコストアップを伴うことなく、迅速に対応することができる紙ヘッダー式吊り下げ袋に関する。
【０００２】
【従来の技術】
近年、各種の商品に対する消費者の嗜好が多様化している。また、スーパー・マーケットやコンビニエンス・ストアなどにおいても、販売時点情報管理システム（ＰＯＳ）が進歩し、店頭に陳列される商品が頻繁に入れ替えられる。このような事情を背景に、商品包装袋にも小ロット、多品種化が要求されている。
プラスチックフイルム製のヘッダー式吊り下げ袋は、店頭において場所をとることがなく、商品を見栄えよく陳列することができるので、広く用いられている。しかし、印刷を施したプラスチックフイルム製の商品包装袋を長尺のプラスチックフイルムから製造するとき、通常その最小ロットはフイルム長さとして２,０００ｍ程度であるとされている。袋巾１０cmの吊り下げ袋を製造すると、その最小ロットは２万個となり、数百個ないし数千個という小ロットの要求には応えられない。また、プラスチックフイルムへの印刷版を起こすことから始めると、迅速性を求める顧客の要求に応えることも容易ではない。
このために、小ロット生産にもコストアップを伴うことなく、迅速に対応することができるヘッダー式吊り下げ袋が求められていた。
【０００３】
【発明が解決しようとする課題】
本発明は、小ロット生産にもコストアップを伴うことなく、迅速に対応することができる紙ヘッダー式吊り下げ袋を提供することを目的としてなされたものである。
【０００４】
【課題を解決するための手段】
本発明者は、上記の課題を解決すべく鋭意研究を重ねた結果、袋のヘッダー部と袋の商品収納部とが、袋の表裏２枚のプラスチックフイルムを溶着する仕切り溶着線によって仕切られたプラスチックフイルム製の袋を大量生産し、顧客の注文に応じて別工程で作製した紙ヘッダーを該袋のヘッダー部に装着することにより、小ロットの注文に対してもコストアップを伴うことなく、しかも迅速に対応し得ることを見いだし、この知見に基づいて本発明を完成するに至った。
すなわち、本発明は、
（１）袋上部に紙ヘッダーを有するプラスチックフイルム製の吊り下げ袋であって、袋のヘッダー部と袋の商品収納部とが、袋の表裏２枚のフイルムを溶着する仕切り溶着線によって仕切られ、ヘッダー部の上方に開口部があり、該開口部から紙ヘッダーが挿入されてなる袋において、紙ヘッダーが二つ折りされた紙よりなり、袋のヘッダー部を形成する２枚のフイルムのうちの１枚のフイルムの外側表面の仕切り溶着線の近傍に袋の巾方向に接着剤層が設けられ、二つ折りされた紙ヘッダーの一方の部分がヘッダー部の２枚のフイルムの間隙に挿入され、他方の部分がフイルムに設けられた接着剤層に接合されることにより、ヘッダー部に紙ヘッダーが装着されてなることを特徴とする紙ヘッダー式吊り下げ袋、
を提供するものである。
【０００５】
【発明の実施の形態】
本発明の紙ヘッダー式吊り下げ袋は、袋上部に紙ヘッダーを有するプラスチックフイルム製の吊り下げ袋であって、袋のヘッダー部と袋の商品収納部とが、袋の表裏２枚のフイルムを溶着する仕切り溶着線によって仕切られ、ヘッダー部に紙ヘッダーが装着されてなる吊り下げ袋である。
本発明のヘッダー式吊り下げ袋を構成するプラスチックフイルムに特に制限はなく、例えば、ホリエチレンフイルム、ポリプロピレンフイルム、ポリエステルフイルム、ポリスチレンフイルムなどを挙げることができる。
本発明の紙ヘッダー式吊り下げ袋に用いる紙ヘッダーの材質に特に制限はなく、例えば、日本工業規格に規定される印刷用紙、アート紙、筆記用紙、図画用紙、クラフト紙、クラフト伸張紙などのほか、板紙、合成紙などを挙げることができる。紙は印刷性が良好であり、コピーによって小さいロットの紙ヘッダーを迅速かつ経済的に作製することができる。また、紙は作業性が良好であり、手作業によってプラスチックフイルム製の袋のヘッダー部に容易に装着することができる。紙ヘッダーは、片面のみに印刷又はコピーし、二つ折りして用いることにより、印刷又はコピー工程を簡略化して、コストを節減することができる。
本発明の紙ヘッダー式吊り下げ袋に用いる接着剤は、感圧接着剤又は粘着剤であることが好ましい。感圧接着剤又は粘着剤を用いることにより、常温でわずかな圧力をかけ、短時間で２枚のフイルム又はフイルムと紙ヘッダーを接着することができる。接着剤層の表面は、剥離ライナーで被覆しておくことが好ましい。本発明において、袋のヘッダー部に紙ヘッダーを装着する方法に特に制限はないが、紙ヘッダーの全部又は一部をヘッダー部の表裏２枚のプラスチックフイルムの間隙に挿入し、紙ヘッダーをヘッダー部に封入又は接着することにより、袋のヘッダー部に紙ヘッダーを装着することができる。
【０００６】
図１(ａ)は、本発明の紙ヘッダー式吊り下げ袋の一態様の背面図であり、図１(ｂ)は、その模式的なＡ−Ａ線切断部端面図であり、図１(ｃ)は、紙ヘッダーが装着された状態を示す模式的な切断部端面図である。本態様の紙ヘッダー式吊り下げ袋は、袋のヘッダー部１と袋の商品収納部２とが、袋の表フイルム３と袋の裏フイルム４を溶着する仕切り溶着線５により仕切られている。袋のヘッダー部を形成する２枚のフイルムに長短があり、長い方のフイルム６の上端内側に袋の巾方向に接着剤層７が設けられ、接着剤層は剥離ライナー８により被覆されている。（図１(ａ)では、剥離ライナーは示されていない。）ヘッダー部の２枚のフイルムの間隙に紙ヘッダー９を収納し、接着剤層を被覆する剥離ライナーを剥離し、長い方のフイルムの上端を折り返して、接着剤層７で長い方のフイルムの上端と、短い方のフイルム１０の上端を接着し、紙ヘッダー式吊り下げ袋を完成する。本態様の紙ヘッダー式吊り下げ袋においては、接着剤層がヘッダー部を形成する長い方のフイルムの上端内側に設けられているが、接着剤層をヘッダー部を形成する短い方のフイルムの上端外側に設けることもできる。
本態様の紙ヘッダー式吊り下げ袋は、商品収納部２の下部に開口部１１を有し、袋の商品収納部を形成する２枚のフイルムに長短があり、長い方のフイルム１２の下端内側に袋の巾方向に接着剤層１３が設けられ、接着剤層は剥離ライナー１４により被覆されている。（図１(ａ)では、剥離ライナーは示されていない。）開口部より商品収納部に商品を収納し、接着剤層を被覆する剥離ライナーを剥離し、長い方のフイルムの下端を折り返して、接着剤層１３で長い方のフイルムの下端と、短い方のフイルム１５の下端を接着し、商品が収納された商品包装体を完成する。
【０００７】
図２(ａ)は、本発明の紙ヘッダー式吊り下げ袋の他の態様の部分背面図であり、図２(ｂ)は、その模式的なＢ−Ｂ線切断部端面図であり、図２(ｃ)は、紙ヘッダーが装着された状態を示す模式的な切断部端面図であり、図２(ｄ)は、その斜視図である。本態様の紙ヘッダー式吊り下げ袋は、袋のヘッダー部１と袋の商品収納部２とが、袋の表フイルム３と袋の裏フイルム４を溶着する仕切り溶着線５により仕切られている。袋のヘッダー部を形成するフイルム１６及び１７のうちの１枚のフイルムの仕切り溶着線の近傍に袋の巾方向に接着剤層１８が設けられ、接着剤層は剥離ライナー１９により被覆されている。（図２(ａ)では、剥離ライナーは示されていない。）ヘッダー部の２枚のフイルムの間隙に、二つ折りされた紙ヘッダー２０の一方の部分を挿入し、接着剤層を被覆する剥離ライナーを剥離し、二つ折りされた紙ヘッダーの他方の部分を接着剤層でフイルムに接着し、紙ヘッダー式吊り下げ袋を完成する。本態様の紙ヘッダー式吊り下げ袋においては、紙ヘッダー式吊り下げ袋の表側で紙ヘッダーがヘッダー部のフイルムにより覆われ、裏側で紙ヘッダーが露出しているが、接着剤層を設けるフイルムを変更することにより、紙ヘッダー式吊り下げ袋の表側で紙ヘッダーを露出することもできる。本態様の紙ヘッダー式吊り下げ袋は、商品収納部の上部に袋の巾方向のガゼット折り２１を有するので、嵩高い商品も容易に無理なく収納することができる。
【０００８】
図３(ａ)は、本発明の紙ヘッダー式吊り下げ袋の他の態様の部分正面図であり、図３(ｂ)は、その模式的なＣ−Ｃ線切断部端面図であり、図３(ｃ)は、紙ヘッダーが装着された状態を示す模式的な切断部端面図である。本態様の紙ヘッダー式吊り下げ袋は、袋のヘッダー部１と袋の商品収納部２とが、袋の表フイルム３と袋の裏フイルム４を溶着する仕切り溶着線５により仕切られている。袋のヘッダー部を形成する２枚のフイルムに長短があり、長い方のフイルム２２の上端外側にフイルムの上端よりはみ出して袋の巾方向に片面粘着テープ２３が貼着され、片面粘着テープのフイルムの上端よりはみ出した部分は剥離ライナー２４により被覆されている。ヘッダー部の２枚のフイルムの間隙に紙ヘッダー９を収納し、片面粘着テープを被覆する剥離ライナーを剥離し、長い方のフイルムの上端を折り返して、片面粘着テープ２３で長い方のフイルムの上端と、短い方のフイルム２５の上端を接着し、紙ヘッダー式吊り下げ袋を完成する。
図４(ａ)は、本発明の紙ヘッダー式吊り下げ袋の他の態様の部分背面図であり、図４(ｂ)は、その模式的なＤ−Ｄ線切断部端面図であり、図４(ｃ)は、紙ヘッダーが装着された状態を示す模式的な切断部端面図であり、図４(ｄ)は、その模式的なＥ−Ｅ線切断部端面図である。本態様の紙ヘッダー式吊り下げ袋は、袋のヘッダー部１と袋の商品収納部２とが、袋の表フイルム３と袋の裏フイルム４を溶着する仕切り溶着線５により仕切られている。袋のヘッダー部を形成する２枚のフイルム２６と２７はほぼ同じ長さであり、そのうちの一方のフイルムの上端外側にフイルムの上端よりはみ出して袋の巾方向に片面粘着テープ２８が貼着され、片面粘着テープのフイルム上端よりはみ出した部分は剥離ライナー２９により被覆されている。ヘッダー部の２枚のフイルムの間隙に、紙ヘッダー９を収納し、片面粘着テープを被覆する剥離ライナーを剥離し、片面粘着テープを折り返して他方のフイルムの上端に接着し、紙ヘッダー式吊り下げ袋を完成する。本態様の紙ヘッダー式吊り下げ袋は、商品収納部の両側縁に袋の長さ方向のガゼット折り３０を有するので、嵩高い商品も容易に無理なく収納することができる。
【０００９】
本発明の紙ヘッダー式吊り下げ袋の商品収納部の形状に特に制限はなく、従来より公知の任意の形状のプラスチックフイルム製の商品包装袋とすることができる。例えば、開口部を図１に示す態様のごとく商品収納部の下部に設けることができ、あるいは、開口部を商品収納部の上部に設けることもできる。また、開口部の封止を図１に示す態様のごとく接着剤層により行うことができ、あるいは、インパルスシール、ヒートシール、超音波溶着などにより開口部を封止することもできる。さらに、商品収納部を平袋とすることができ、あるいは、図２に示すように、上部にガゼット折りを設けることもでき、図４に示すように、両側縁にガゼット折りを設けることもできる。
本発明の紙ヘッダー式吊り下げ袋は、袋のヘッダー部と袋の商品収納部とが、袋の表裏２枚のプラスチックフイルムを溶着する仕切り溶着線によって仕切られたプラスチックフイルム製の袋であって、あらかじめ大量生産して在庫しておき、顧客の注文に応じて紙ヘッダーを別工程で印刷、コピーなどにより作製し、該紙ヘッダーを該袋のヘッダー部に装着するので、紙ヘッダーの作製工程のみがロットの大きさと納期を制限する要因となり、小ロットの注文に対してもコストアップを伴うことなく、しかも迅速に対応することができる。
【００１０】
【発明の効果】
本発明の紙ヘッダー式吊り下げ袋は、小ロット生産にもコストアップを伴うことなく、迅速に対応することができる。
【図面の簡単な説明】
【図１】図１は、本発明の紙ヘッダー式吊り下げ袋の一態様の背面図及び切断部端面図である。
【図２】図２は、本発明の紙ヘッダー式吊り下げ袋の他の態様の部分背面図、切断部端面図及び斜視図である。
【図３】図３は、本発明の紙ヘッダー式吊り下げ袋の他の態様の部分正面図及び切断部端面図である。
【図４】図４は、本発明の紙ヘッダー式吊り下げ袋の他の態様の部分背面図及び切断部端面図である。
【符号の説明】
１  ヘッダー部
２  商品収納部
３  表フイルム
４  裏フイルム
５  仕切り溶着線
６  ヘッダー部の長い方のフイルム
７  接着剤層
８  剥離ライナー
９  紙ヘッダー
１０  ヘッダー部の短い方のフイルム
１１  開口部
１２  商品収納部の長い方のフイルム
１３  接着剤層
１４  剥離ライナー
１５  商品収納部の短い方のフイルム
１６  ヘッダー部のフイルム
１７  ヘッダー部のフイルム
１８  接着剤層
１９  剥離ライナー
２０  紙ヘッダー
２１  ガゼット折り
２２  ヘッダー部の長い方のフイルム
２３  片面粘着テープ
２４  剥離ライナー
２５  ヘッダー部の短い方のフイルム
２６  ヘッダー部のフイルム
２７  ヘッダー部のフイルム
２８  片面粘着テープ
２９  剥離ライナー
３０  ガゼット折り
【図１】
0003749133.tif 000002
【図２】
0003749133.tif 000003
【図３】
0003749133.tif 000004
【図４】
0003749133.tif 000005